【手続補正書】
【提出日】平成19年12月27日(2007.12.27)
【手続補正１】
【補正対象書類名】明細書
【補正対象項目名】特許請求の範囲
【補正方法】変更
【補正の内容】
【特許請求の範囲】
【請求項１】  所定管腔長の血管にわたって血餅を崩壊する装置であって、該装置は、以下：
カテーテル本体であって、該カテーテル本体は、近位末端および遠位末端を有する、カテーテル本体；
該カテーテル本体の遠位末端の近くにあって該血管の該所定長にわたって血餅を機械的にかき混ぜる手段；および
該カテーテル本体の遠位末端の近くにあって該血管の該所定長にわたって薬剤を分配する手段、
を備える、装置。
【請求項２】  前記薬剤が、血栓溶解剤、フィブリン溶解剤、カルシウム溶解剤、遺伝子治療剤およびＧＰ  ＩＩｂ／ＩＩＩａ群阻害剤からなる群から選択されるメンバーである、請求項１に記載の装置。
【請求項３】  前記機械的かき混ぜ手段が、回転可能および／または軸方向に並進運動可能なかき混ぜ機を含む、請求項１に記載の装置。
【請求項４】  前記かき混ぜ機が、弾力性要素を含み、該弾力性要素が、低プロフィールを有するように放射状に束縛され得るか、または非直線形状を備えた拡大プロフィールを有するように放射状の束縛から解放され得る、請求項３に記載の装置。
【請求項５】  前記かき混ぜ機が、弾力性要素を含み、該弾力性要素が、非直線形状を備えた拡大プロフィールを呈するように、軸方向に短くされ得る、請求項３に記載の装置。
【請求項６】  前記弾力性要素が、螺旋、スパイラル、蛇行、ジグザグ、交互螺旋およびランダムからなる群から選択される非直線形状を有する、請求項４または５に記載の装置。
【請求項７】  前記薬剤分配手段が、前記弾力性要素を覆って配置された多孔性鞘を含む、請求項５に記載の装置。
【請求項８】  前記多孔性鞘が、可撓性であり、そして前記弾力性要素が、該鞘を前記血餅に押し付ける、請求項６に記載の装置。
【請求項９】  前記薬剤分配手段が、前記弾力性要素に分配手段を含み、ここで、該弾力性要素が、該薬剤を注入する手段を含み、該注入手段が、該弾力性要素の長さにわたって配置されている、請求項６に記載の装置。
【請求項１０】  前記注入手段が、複数の間隔を置いたポートを含む、請求項９に記載の装置。
【請求項１１】  前記注入手段が、前記弾力性要素の長さにわたって、多孔性領域を含む、請求項９に記載の装置。
【請求項１２】  前記薬剤分配手段が、前記機械的かき混ぜ手段にわたって配置された多孔性鞘を含む、請求項１に記載の装置。
【請求項１３】  前記多孔性鞘が、可撓性であり、そして前記機械的かき混ぜ手段が、該鞘を前記血餅に押し付ける、請求項１２に記載の装置。
【請求項１４】  さらに、治療する血管内の１領域を通る血流を減らすために前記カテーテル本体上の少なくとも１位置を分離する手段を含む、請求項１に記載の装置。
【請求項１５】  前記分離手段が、治療する前記領域の近位末端および遠位末端の両方を分離する、請求項１４に記載の装置。
【請求項１６】  前記分離手段が、前記カテーテル本体上に、一対の軸方向に間隔を置いたバルーンを含む、請求項１５に記載の装置。
【請求項１７】  さらに、前記機械的かき混ぜ手段の周りの領域から崩壊した血餅を吸引する手段を含む、請求項１、１４、１５または１６に記載の装置。
【請求項１８】  血管の標的領域にわたって血餅を崩壊する装置であって、該装置は、以下：
カテーテル本体であって、該カテーテル本体は、近位末端および遠位末端を有する、カテーテル本体；
かき混ぜ機であって、該かき混ぜ機は、該遠位末端の近くに配置されており、該標的領域にわたって血餅を機械的にかき混ぜるためにある、かき混ぜ機；および
ポートであって、該ポートは、該遠位末端の近くに配置されており、該標的領域に沿って薬剤を導入する薬剤供給源と流体連絡している、ポート、
を備える、装置。
【請求項１９】  さらに、吸引管腔を含み、該吸引管腔が、前記遠位末端の近くに吸引ポートを有し、前記標的血管から物質を吸引するためにある、請求項１８に記載の装置。
【請求項２０】  さらに、前記吸引ポートに連結された真空源および前記吸引管腔内に配置されたポンプからなる群から選択される少なくとも１個のメンバーを含む、請求項１９に記載の装置。
【請求項２１】  さらに、前記吸引管腔を規定する吸引カテーテルを含み、該吸引カテーテルが、前記カテーテル本体の外側に配置されている、請求項２０に記載の装置。
【請求項２２】  前記カテーテル本体が、前記吸引管腔を含む、請求項２０に記載の装置。
【請求項２３】  血管の領域にわたって血餅を崩壊する装置であって、該血管に沿って、アクセス部位が配置されており、該装置は、以下：
導入器鞘であって、該導入器鞘は、該アクセス部位を対するアクセスを与えるためにある、導入器鞘；
第一細長本体であって、該第一細長本体は、該導入器鞘を通って伸長しており、近位末端および第一遠位末端を有し、該第一遠位末端は、第一かき混ぜ機を備えている、第一細長本体；および
第二細長本体であって、該第二細長本体は、該導入器鞘を通って伸長しており、第二遠位末端を有し、該第二遠位末端は、第二かき混ぜ機を備え、該アクセス部位は、該第一かき混ぜ機と該第二かき混ぜ機の間に配置されている、第二細長本体、
を備える、装置。
【請求項２４】  前記血管の前記領域を分離するために、第一血流アイソレータが、前記第一かき混ぜ機から遠位に配置されており、第二血流アイソレータが、前記第二かき混ぜ機から遠位に配置されている、請求項２３に記載の装置。
【請求項２５】  血管内の所定管腔長にわたって血餅を崩壊するためのシステムであって、該システムは、
該所定管腔長にわたって該血餅を機械的にかき混ぜるための手段；および
機械的にかき混ぜている該所定管腔長にわたって分配パターンで薬剤を注入するための手段、
を備える、システム。
【請求項２６】  前記所定管腔長が、少なくとも５ｃｍである、請求項２５に記載のシステム。
【請求項２７】  前記血管が、静脈である、請求項２５に記載のシステム。
【請求項２８】  前記静脈が、大静脈、腸骨静脈、大腿静脈、膝窩静脈、総腸骨動脈、外腸骨静脈、上腕静脈および鎖骨下静脈からなる群から選択される、請求項２７に記載のシステム。
【請求項２９】  前記血管が、動脈である、請求項２５に記載のシステム。
【請求項３０】  前記動脈が、内腸骨動脈、外腸骨動脈、膝窩動脈、冠状動脈、浅大腿動脈および上腕動脈からなる群から選択される、請求項２９に記載のシステム。
【請求項３１】  前記血餅を機械的にかき混ぜるための手段が、放射状に拡大可能なかき混ぜ機を備え、該放射状に拡大可能なかき混ぜ機は、、前記血管内で、該血餅に対して、回転および／または軸方向に並進運動するように構成されている、請求項２５に記載のシステム。
【請求項３２】  前記放射状に拡大可能なかき混ぜ機が、弾力性であり、該かき混ぜ機が回転および／または軸方向に並進運動するにつれて前記血餅に接して押し付けるように、前記血管によって放射状に束縛される、請求項３１に記載のシステム。
【請求項３３】  前記薬剤を注入するための手段が、前記かき混ぜ機を覆って配置された多孔性鞘を通って該薬剤を送達するように構成されており、ここで、該薬剤が、前記血餅が該かき混ぜ機によって機械的に崩壊されている間に、該血餅に送達される、請求項３１に記載のシステム。
【請求項３４】  前記かき混ぜ機が、弾力性チューブを含み、該チューブが、前記血餅に接して拡大したとき、非直線形状を有し、ここで、前記薬剤を注入するための手段が、該血餅に接触している該チューブの長さにわたって分配されたポートまたは多孔性領域に、該チューブの管腔を通って該薬剤を送達するように構成されている、請求項３１に記載のシステム。
【請求項３５】  さらに、前記所定管腔長の少なくとも一端を分離するための手段を備える、請求項２５に記載のシステム。
【請求項３６】  さらに、前記所定管腔長の近位末端および遠位末端の両方を分離するための手段を備える、請求項３５に記載のシステム。
【請求項３７】  前記分離するための手段が、少なくとも１個の閉塞バルーンを備える、請求項３５に記載のシステム。
【請求項３８】  前記分離するための手段が、前記薬剤を注入する前に操作される、請求項３５に記載のシステム。
【請求項３９】  前記分離が、前記薬剤の注入を停止した後まで維持される、請求項３８に記載のシステム。
【請求項４０】  さらに、前記所定管腔長に沿って崩壊した血餅物質を吸引するための手段を備える、請求項２５に記載のシステム。
【請求項４１】  前記血餅物質が、カテーテル本体で支持されたかき混ぜ機によりかき混ぜられ、ここで、前記崩壊した血餅物質が、該カテーテル本体内の吸引管腔を通って吸引される、請求項４０に記載のシステム。
【請求項４２】  前記崩壊した血餅物質が、前記吸引管腔内に配置されたポンプを使用して吸引される、請求項４１に記載のシステム。
【請求項４３】  前記血餅物質が、カテーテル本体で支持されたかき混ぜ機によりかき混ぜられ、ここで、前記崩壊した血餅物質が、吸引カテーテルの吸引管腔を通って吸引される、請求項４０に記載のシステム。
【請求項４４】  血管内の管腔長にわたって血餅を崩壊するためのシステムであって、該システムは、
該管腔長を血流から分離するための手段；
該管腔長に沿って薬剤を注入するための手段；および
該管腔長に沿って該血餅を機械的にかき混ぜるための手段、
を備える、システム。
【請求項４５】  キットであって、該キットは、以下：
カテーテルであって、該カテーテルは、かき混ぜ機および血栓溶解剤送達手段を有する、カテーテル；ならびに
使用説明書であって、
所定管腔長にわたって血餅を機械的にかき混ぜる工程；および
機械的にかき混ぜている該所定管腔長にわたって分配パターンで薬剤を注入する工程、
を包含する方法に従った、使用説明書、
を含む、キット。